【手続補正書】
【提出日】平成26年4月4日(2014.4.4)
【手続補正１】
【補正対象書類名】特許請求の範囲
【補正対象項目名】請求項６
【補正方法】変更
【補正の内容】
【請求項６】
前記吸収性コアの厚みが、前記中央域の中央部から該吸収性コアの幅方向の両端に向かって漸減している、請求項１〜４の何れか１項記載の吸収性物品。
【手続補正２】
【補正対象書類名】明細書
【補正対象項目名】０００８
【補正方法】変更
【補正の内容】
【０００８】
【図１】図１は、本発明の第１実施形態である生理用ナプキンを示す斜視図である。
【図２】図２（ａ）は、図１のＩＩａ−ＩＩａ線断面図であり、図２（ｂ）は、図１のＩＩｂ−ＩＩｂ線断面図である。
【図３】図３（ａ）は、図１のＩＩＩａ−ＩＩＩａ線断面図であり、図３（ｂ）は、図１のＩＩＩｂ−ＩＩＩｂ線断面図である。
【図４】図４は、図１の生理用ナプキンの着用状態における吸収性コアの変形状態を示す模式図である。
【図５】図５は、図１に示す生理用ナプキンの吸収性コアの製造に好ましく使用される積繊ドラムの周方向に沿う断面を示す模式図である。
【図６】図６は、本発明の第２実施形態である生理用ナプキンを示す斜視図である。
【図７】図７（ａ）は、図６のＶＩＩａ−ＶＩＩａ線断面図であり、図７（ｂ）は、図６のＶＩＩｂ−ＶＩＩｂ線断面図である。
【図８】図８は、本発明の第３実施形態である生理用ナプキンを示す平面図である。
【図９】図９（ａ）は、図８のＩＸａ−ＩＸａ線断面図であり、図９（ｂ）は、図８のＩＸｂ−ＩＸｂ線断面図である。
【手続補正３】
【補正対象書類名】明細書
【補正対象項目名】００１７
【補正方法】変更
【補正の内容】
【００１７】
吸収性コア４の側方域４５は、中央域４１をプレスする工程とは別の工程でプレスされる。プレスによる圧力は厚みの厚い高坪量部４６に集中し、厚みの薄い低坪量部４７はプレスにより圧力を受けず圧縮されない。このように、高坪量部４２のみが圧縮されることで高坪量部４６は低坪量部４７に対して吸収部材の密度が高まるように設計されている。なお、この工程で用いるプレス工程は、中央域４１に該当する形にくり抜かれたプレスロールや吸収性コア４の側方域４５に該当する部分にのみプレス部が存在するロールを用いる等の措置を行い、吸収性コア４の側方域のみをプレスされるように工夫されている。
【手続補正４】
【補正対象書類名】明細書
【補正対象項目名】００２０
【補正方法】変更
【補正の内容】
【００２０】
〔高坪量部及び低坪量部の坪量の測定方法〕
吸収性コアを、高坪量部４２と低坪量部４３の境界線に沿ってフェザー社製片刃剃刀を用いて切断し、あらかじめ定めた面積となるように高坪量部４２及び低坪量部４３の小片を得る。高坪量部４２は、一対の低坪量部４３，４３に挟まれた部分を小片として切り出す。即ち、高坪量部４２は低坪量部４３により区画された小ブロック片として切り出す。当該小片が、縦方向に延びる縦溝５０、５１、５２の底部をなす低坪量部４８を含む場合は、高坪量部４２と低坪量部４３および低坪量部４８の境界線で区画される高坪量部４２をサンプル切片として切り出し測定に用いる。低坪量部の小片は、一対の高坪量部４２，４２間に挟まれた細幅の部分を長さが３０ｍｍとなるように小片として切り出す。
それらの小片の重量を電子天秤(Ａ＆Ｄ社製電子天秤ＧＲ−３００、精度：小数点以下４桁)を用いて測定する。求めた重量を高坪量部４２又は低坪量部４３の小片の面積で除して小片の坪量を算出する。高坪量部４２及び低坪量部４３のそれぞれについて、小片５個の坪量の平均を坪量とする。
〔高坪量部及び低坪量部の厚みの測定方法〕
高坪量部４２及び低坪量部４３の厚みの測定は、各々の部位について坪量を測定するために切り出した小片の厚みを測定することで行う。吸収性物品より切り出した高坪量部４２及び低坪量部４３の小片の測定部を５ｋＰａの圧力で１０分間加圧し、除重後すぐに測定を行う。除重後のサンプルの中央域上に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【手続補正５】
【補正対象書類名】明細書
【補正対象項目名】００２７
【補正方法】変更
【補正の内容】
【００２７】
中央域４１の低坪量部４３と側方域４５の低坪量部４７は、中央域４１と側方域４５との境界部において、吸収性コア４の長手方向Ｘにおける位置が一致しており、同様に、中央域４１の横溝４４ａと側方域４５，４５の横溝４４ｂとは、前記境界部において、吸収性コア４の長手方向Ｘにおける位置が一致している。
即ち、中央域４１の横溝４４ａと側方域４５，４５の横溝４４ｂは、吸収性コア４の中央域４１から側方域４５，４５に亘って連続する１本の横溝４４を形成しており、該横溝４４は、吸収性コア４の全幅に亘って延びている。そして、その横溝４４が、吸収性コア４の長手方向に間隔を開けて複数本形成されている。換言すると、中央域４１の低坪量部４３と側方域４５の低坪量部４７とが、吸収性コア４の全幅に亘って連続して延びる一本の低坪量部を形成しており、該一本の低坪量部は、吸収性コアの形成材料の坪量、厚み及び密度が、側方域４５の高坪量部４６よりも小さい。
横溝４４に関し、中央域から側方域に亘って連続するとは、上側が解放された横溝内の空間が、中央域と側方域との間で途切れることなく、中央域から側方域に亘って連続して存在することを意味する。本実施形態のナプキン１においては、図２（ｂ）に示すように、横溝４４は、後述する縦溝５０〜５２と平面視十字状に交差しているが、縦溝を挟んで対峙する一方の側の横溝内の空間の延長上に他方の横溝内の空間の全部又は一部が存在するような場合は、縦溝との交差部で横溝は途切れていないものとする。
【手続補正６】
【補正対象書類名】明細書
【補正対象項目名】００２９
【補正方法】変更
【補正の内容】
【００２９】
横溝４４の底部４４ｄが、側方域４５の上面Ｓ２の位置より下方に位置するか否かは、中央域４１の側方域４５に隣接する部位Ｐ１，Ｐ１における底部４４の厚み、および側方域４５の高坪量部４６の厚みを測定することで判断する。具体的には、先ず生理用ナプキン１より吸収性コア４を取り出し、中央域４１の底面を基点として側方域４５の高坪量部４６の厚みを測定する。厚みの測定は各々の部位を５ｋＰａの圧力で１０分間加圧し、除重後測定部位に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００を用いて行う。次に、吸収性物品よりフェザー社製片刃剃刀を用いて、中央域４１の側方域４５に隣接する部位Ｐ１，Ｐ１における底部４４の測定部を切り出し、５ｋＰａの圧力で１０分間加圧し、除重後すぐに厚みの測定を行う。除重後のサンプルの中央域上に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。先に求めた側方域４５の高坪量部４６の厚みより、中央域４１の側方域４５に隣接する部位Ｐ１，Ｐ１における底部４４の測定部の厚みが大きければ、横溝４４の底部４４ｄが、側方域４５の上面Ｓ２の位置より下方に位置する。
【手続補正７】
【補正対象書類名】明細書
【補正対象項目名】００５２
【補正方法】変更
【補正の内容】
【００５２】
上述した実施形態に関し、本発明は更に以下の吸収性物品を開示する。
＜１＞吸収性物品の前後方向に長い形状の吸収性コアを備えた吸収性物品であって、前記吸収性コアは、その幅方向に、中央域及びその両側に位置する側方域を有し、該中央域は、該側方域それぞれの上面より上方に突出した突出部を有しており、前記吸収性コアは、前記中央域と前記側方域とが一体成形されており、前記吸収性コアの肌当接面に、該吸収性コアの幅方向に沿う複数の横溝が、それぞれ、前記中央域から前記側方域に亘って連続して形成されており、前記横溝は、吸収性コアの形成材料の坪量を減らして形成されており、且つ該横溝は、前記中央域の前記側方域に隣接する部位における底部が、該側方域の上面よりも下方に位置する、吸収性物品。
＜２＞前記横溝の底部が、前記吸収性コアの幅方向における前記中央域の全域に亘って、前記側方域の前記上面よりも下方に位置している、前記＜１＞記載の吸収性物品。
＜３＞前記中央域に、前記吸収性コアの長手方向に沿う縦溝が形成されている、前記＜１＞又は＜２＞記載の吸収性物品。
＜４＞前記突出部は、液排泄部対向部から後方部の一部に亘って形成されている、前記＜１＞〜＜３＞の何れか１に記載の吸収性物品。
＜５＞前記突出部は、前記中央域の中央部から前記側方域に向かって下降する傾斜側面を有する前記＜１＞〜＜４＞の何れか１に記載の吸収性物品。
＜６＞前記吸収性コアの厚みが、前記中央域の中央部から該吸収性コアの幅方向の両端に向かって漸減している、前記＜１＞〜＜４＞の何れか１に記載の吸収性物品。
＜７＞吸収性コアの中央域において、低坪量部の坪量は、高坪量部の坪量に対する割合が、５％以上８０％以下である＜１＞〜＜６＞の何れか１に記載の吸収性物品。
＜８＞前記高坪量部は前記低坪量部に対して吸収部材の密度が高い＜１＞〜＜７＞の何れか１に記載の吸収性物品。
＜９＞低坪量部の厚みは、高坪量部の厚みに対する割合が、５％以上５０％以下である＜１＞〜＜８＞の何れか１に記載の吸収性物品。